(57)【要約】【課題】信号切り換え装置の出力を受けるモニター機器における音声系ノイズの発生を防止する。【解決手段】クロスポイントスイッチ１０１は、ユーザ操作に基づいた切り換え制御信号ＳＷＣに基づいて、ｍ系統のＳＤＩ信号Ｓin-1〜Ｓin-mから一系統のＳＤＩ信号を選択的に取り出す。Ｓ／Ｐ変換器１０２から出力されるＳＤＩ信号のアンシラリデータ領域（ＨＡＮＣ領域）にオーディオに関係するパケット（ＡＤＰ，ＥＤＰ，ＡＣＰ）が無いとき、無音データ発生部１０６からのオーディオデータを利用して、ＡＤＰ出力部１１０、ＥＤＰ出力部１１１はパケットを構成し、マルチプレクサ１１２は、そのパケットを、当該アンシラリデータ領域に挿入する。そのため、クロスポイントスイッチ１０１で切り換えられるＳＤＩ信号の種類によらず、マルチプレクサ１１２の出力ＳＤＩ信号は、全てのアンシラリデータ領域にオーディオに関係するパケットが挿入されたものとなる。【選択図】図１
2010210807.tif 000002
【特許請求の範囲】
【請求項１】
アクティブビデオデータが挿入されるアクティブビデオデータ領域と、上記アクティブビデオデータ領域の開始同期符号が挿入される開始同期符号領域と、上記アクティブビデオデータ領域の終了同期符号が挿入される終了同期符号領域と、上記終了同期符号領域と上記開始同期符号領域との間に位置し、アンシラリデータが挿入されるアンシラリデータ領域を有するＳＤＩ信号の切り換えを行うスイッチ部と、
上記スイッチ部から出力されるＳＤＩ信号の上記アンシラリデータ領域に上記アンシラリデータとしてオーディオに関係するパケットがあるかないかを判別するパケット有無判別部と、
上記パケット有無判別部で上記オーディオに関係するパケットが無いと判別されるとき、上記スイッチ部から出力されるＳＤＩ信号の上記アンシラリデータ領域に、上記オーディオに関係するパケットを挿入するパケット挿入部
を備える信号切り換え装置。
【請求項２】
上記パケット挿入部は、
上記オーディオに関係するパケットとしてオーディオデータパケットが無いとき、無音に相当するオーディオデータパケットを挿入し、
上記オーディオに関係するパケットとして拡張データパケットが無いとき、無音時の拡張データに相当する拡張データパケットを挿入し、
上記オーディオに関係するパケットとしてオーディオコントロールパケットが無いとき、自身が定義したオーディオコントロールパケットを挿入する
請求項１に記載の信号切り換え装置。
【請求項３】
上記パケット挿入部は、上記パケット有無判別部で上記オーディオに関係するパケットが有ると判別されるとき、上記スイッチ部から出力されるＳＤＩ信号の上記アンシラリデータ領域から上記オーディオに関係するパケットを抜き出し、自身のタイミングで再構成した該オーディオに関係するパケットを、上記スイッチ部から出力されるＳＤＩ信号の上記アンシラリデータ領域に挿入する
請求項２に記載の信号切り換え装置。
【請求項４】
上記アンシラリデータ領域に上記オーディオに関係するパケット以外の他のアンシラリデータがあるとき、該アンシラリデータの挿入位置を、上記オーディオに関係するパケットの挿入位置より後の位置に移動するアンシラリデータ移動部をさらに備える
請求項３に記載の信号切り換え装置。
【請求項５】
上記アンシラリデータ移動部は、上記オーディオに関係するパケット以外の他のアンシラリデータを上記アンシラリデータ領域の最後に移動し、
上記オーディオに関係するパケットと、上記移動された他のアンシラリデータとの間の領域に削除パケットを挿入する削除パケット挿入部をさらに備える
請求項４に記載の信号切り換え装置。
【請求項６】
第１のモードまたは第２のモードをユーザが選択するユーザ選択部と、
上記ユーザ選択部により上記第１のモードが選択されたとき、上記パケット挿入部から出力されるＳＤＩ信号を出力し、上記ユーザ選択部により上記第２のモードが選択されるとき、上記スイッチ部から出力されるＳＤＩ信号を出力するセレクタをさらに備える
請求項１に記載の信号切り換え装置。
【請求項７】
上記パケット挿入部は、
上記パケット有無判別部で上記オーディオに関係するパケットとして上記信号切り換え装置が対応しているチャネルのうち少なくとも１つ以上のチャネルでオーディオデータが含まれていない第１のオーディオデータパケットが有ると判別されるとき、
上記少なくとも１つ以上のチャネルのオーディオデータとして無音に相当するオーディオデータを利用して、上記信号切り換え装置が対応しているチャネルの全てのチャネルのオーディオデータが含まれた第２のオーディオデータパケットを再構成し、
上記スイッチ部から出力されるＳＤＩ信号の上記アンシラリデータ領域に、上記第１のオーディオデータパケットの代わりに、上記第２のオーディオデータパケットを挿入する
請求項１に記載の信号切り換え装置。
【請求項８】
アクティブビデオデータが挿入されるアクティブビデオデータ領域と、上記アクティブビデオデータ領域の開始同期符号が挿入される開始同期符号領域と、上記アクティブビデオデータ領域の終了同期符号が挿入される終了同期符号領域と、上記終了同期符号領域と上記開始同期符号領域との間に位置し、アンシラリデータが挿入されるアンシラリデータ領域を有するＳＤＩ信号の切り換えを行うスイッチ部を備える信号切り換え装置におけるＳＤＩ信号処理方法であって、
上記スイッチ部から出力されるＳＤＩ信号の上記アンシラリデータ領域に上記アンシラリデータとしてオーディオに関係するパケットがあるかないかを判別するパケット有無判別ステップと、
上記パケット有無判別ステップで上記オーディオに関係するパケットが無いと判別されるとき、上記スイッチ部から出力されるＳＤＩ信号の上記アンシラリデータ領域に、上記オーディオに関係するパケットを挿入するパケット挿入ステップを有する
信号切り換え装置におけるＳＤＩ信号処理方法。
【発明の詳細な説明】
【技術分野】
【０００１】
この発明は、信号切り換え装置および信号切り換え装置におけるＳＤＩ信号処理方法に関し、特に、アンシラリデータ領域にオーディオデータパケット等が挿入されるエンベデッドオーディオＳＤＩ信号を取り扱う信号切り換え装置等に関する。
【背景技術】
【０００２】
従来、ＳＤＩ（Serial Digital Interface）信号を取り扱う信号切り換え装置が知られている（特許文献１）。図６は、ＳＤＩ信号のフレーム構造例を示している。このフレーム構造例は、５２５ラインシステムの場合の例であって、垂直方向に５２５ライン、水平方向に１７１６ワードの構造になっている。
【０００３】
水平方向の構造を説明する。第０ワードから第１４３９ワードまでの１４４０ワードは、デジタルビデオデータが挿入されるアクティブビデオデータ領域として用いられる。第１４４０ワードから第１４４３ワードまでの４ワードは、アクティブビデオデータ領域の終了同期符号ＥＡＶ（End of ActiveVideo）が挿入される終了同期符号領域として用いられる。第１４４４ワードから第１７１１ワードまでの２６８ワードは、水平アンシラリデータ（ＨＡＮＣデータ）が挿入されるＨＡＮＣデータ領域として用いられる。第１７１２から第１７１５ワードまでの４ワードは、アクティブビデオデータ領域の開始同期符号ＳＡＶ（Start of ActiveVideo）が挿入される開始同期符号領域として用いられる。
【０００４】
また、垂直方向の構造を説明する。第１ラインから第１９ラインまでの１９ラインは、垂直アンシラリデータ（ＶＡＮＣデータ）が挿入されるＶＡＮＣデータ領域として用いられる。第２０ラインから第２６３ラインまでの２４４ラインは、第１フィールドのアクティブビデオデータが挿入されるアクティブビデオデータ領域として用いられる。第２６４ラインから第２８２ラインまでの１９ラインは、垂直アンシラリデータ（ＶＡＮＣデータ）が挿入されるＶＡＮＣデータ領域として用いられる。第２８３ラインから第５２５ラインまでの２４３ラインは、第２フィールドのアクティブビデオデータが挿入されるアクティブビデオデータ領域として用いられる。
【０００５】
図６に示すＳＤＩ信号においては、デジタルビデオデータの他に、デジタルオーディオデータを伝送できる。デジタルオーディオデータを伝送するために、ＨＡＮＣデータ領域に、エンベデットオーディオデータが組み込まれる。この場合、ＨＡＮＣデータ領域に、アンシラリデータとして、オーディオデータパケット（ＡＤＰ：Audio Data Packet）、拡張データパケット（ＥＤＰ：ExtendedData Packet）、オーディオコントロールパケット（ＡＣＰ：Audio Control Packet）等が挿入される。
【０００６】
図７は、従来、ＳＤＩ信号を取り扱う信号切り換え装置（スイッチャ）２００の構成例を示している。信号切り換え装置２００は、クロスポイントスイッチ２０１と、Ｓ／Ｐ（シリアル／パラレル）変換器２０２と、ＡＤＰ（オーディオデータパケット）抜き出し部２０３と、ＥＤＰ（拡張データパケット）抜き出し部２０４を有している。また、信号切り換え装置２００は、音量調整部（オーディオボリューム）２０５と、ＡＤＰ（オーディオデータパケット）出力部２０６と、ＥＤＰ（拡張データパケット）出力部２０７と、マルチプレクサ２０８と、Ｐ／Ｓ（パラレル／シリアル）変換器２０９を有している。
【０００７】
クロスポイントスイッチ２０１は、ｍ系統のＳＤＩ信号Ｓin-1〜Ｓin-mから、切り換え制御信号ＳＷＣに基づいて、一系統のＳＤＩ信号を選択的に取り出して出力する。ここで、ｍ系統のＳＤＩ信号Ｓin-1〜Ｓin-mには、エンベデットオーディオデータが組み込まれているもの、あるいは組み込まれていないものなど、まちまちである。また、エンベデットオーディオデータが組み込まれている場合であっても、拡張データパケットが有るものと無いもの、またオーディコントロールパケットがあるものと無いもの等がある。また、オーディオデータパケットおよび拡張データパケットのペイロードに含まれるチャネル数が異なる場合がある。
【０００８】
Ｓ／Ｐ変換器２０２は、クロスポイントスイッチ２０１から出力されるＳＤＩ信号をシリアル信号からｎビットのパラレル信号に変換する。ＡＤＰ抜き出し部２０３は、Ｓ／Ｐ変換器２０２でパラレル信号に変換されたＳＤＩ信号のアンシラリデータ領域にオーディオデータパケットが有るか否かを判別する。そして、ＡＤＰ抜き出し部２０３は、オーディオデータパケットが有る場合には、ＳＤＩ信号からオーディオデータパケットを抜き出し、そのパケットのペイロードに含まれている各チャネルの２０ビットのオーディオデータを取り出して出力する。
【０００９】
ＥＤＰ抜き出し部２０４は、Ｓ／Ｐ変換器２０２でパラレル信号に変換されたＳＤＩ信号のアンシラリデータ領域に拡張データパケットが有るか否かを判別する。そして、ＥＤＰ抜き出し部２０４は、拡張データパケットが有る場合には、ＳＤＩ信号から拡張データパケットを抜き出し、そのパケットのペイロードに含まれている各チャネルの４ビットの拡張データを取り出して出力する。
【００１０】
音量調整部２０５は、上述したクロスポイントスイッチ２０１による信号切り換え時に、音量調整信号ＶＣに基づき、ＡＤＰ抜き出し部２０３およびＥＤＰ抜き出し部２０４で抜き出されたオーディオデータに対してソフトミュート処理を行う。この場合、切り換え前のオーディオデータに対しては音量レベルを徐々に低下させる処理が行われ、切り換え後のオーディオデータに対しては音量レベルを徐々に上昇させる処理が行われる。この音量調整部２０５におけるソフトミュート処理により、信号切り換え時における音声系ノイズの発生が抑えられる。
【００１１】
ＡＤＰ出力部２０６は、音量調整部２０５でソフトミュート処理された後の各チャネルのオーディオデータ（２０ビット）を含むオーディオデータパケットを再構成して出力する。また、ＥＤＰ出力部２０７は、音量調整部２０５でソフトミュート処理された後の各チャネルの拡張データ（４ビット）を含む拡張データパケットを再構成して出力する。
【００１２】
マルチプレクサ２０８は、ＡＤＰ出力部２０６から出力されるオーディオデータパケットおよびＥＤＰ出力部２０７から出力される拡張データパケットを、Ｓ／Ｐ変換器２０２から出力されたＳＤＩ信号のアンシラリデータ領域に挿入する。この場合、Ｓ／Ｐ変換器２０２から出力されたＳＤＩ信号に元々含まれているオーディオデータパケットおよび拡張データパケットは除かれる。Ｐ／Ｓ変換器２０９は、マルチプレクサ２０８から出力されたＳＤＩ信号をパラレル信号からシリアル信号に変換して出力ＳＤＩ信号Ｓoutを出力する。
【００１３】
図７に示す信号切り換え装置２００の動作を説明する。クロスポイントスイッチ２０１には、ｍ系統のＳＤＩ信号Ｓin-1〜Ｓin-mが入力されている。クロスポイントスイッチ２０１では、ユーザ操作に基づいた切り換え制御信号ＳＷＣに基づいて、ｍ系統のＳＤＩ信号Ｓin-1〜Ｓin-mから一系統のＳＤＩ信号が取り出される。このように、クロスポイントスイッチ２０１で取り出されたＳＤＩ信号は、Ｓ／Ｐ変換器２０２でシリアル信号からパラレル信号に変換される。このＳ／Ｐ変換器２０２で得られるＳＤＩ信号は、ＡＤＰ抜き出し部２０３、ＥＤＰ抜き出し部２０４およびマルチプレクサ２０８に供給される。
【００１４】
ＡＤＰ抜き出し部２０３では、Ｓ／Ｐ変換器２０２から供給されたＳＤＩ信号にオーディオデータパケットが有るか否かが判別される。そして、ＡＤＰ抜き出し部２０３では、オーディオデータパケットが有る場合、ＳＤＩ信号からオーディオデータパケットが抜き出され、そのパケットのペイロードに含まれている各チャネルの２０ビットのオーディオデータが取り出される。このようにＡＤＰ抜き出し部２０３で取り出された各チャネルのオーディオデータは音量調整部２０５に供給される。
【００１５】
また、ＥＤＰ抜き出し部２０４では、Ｓ／Ｐ変換器２０２から供給されたＳＤＩ信号に拡張データパケットが有るか否かが判別される。そして、ＥＤＰ抜き出し部２０４では、拡張データパケットが有る場合、ＳＤＩ信号から拡張データパケットが抜き出され、そのパケットのペイロードに含まれている各チャネルの４ビットの拡張データが取り出される。このようにＥＤＰ抜き出し部２０４で取り出された各チャネルの拡張データは音量調整部２０５に供給される。
【００１６】
音量調整部２０５では、上述したクロスポイントスイッチ２０１による信号切り換え時に、音量調整信号ＶＣに基づき、ＡＤＰ抜き出し部２０３およびＥＤＰ抜き出し部２０４から供給されるオーディオデータに対して、ソフトミュート処理が行われる。そして、ソフトミュート処理後の各チャネルの２０ビットのオーディオデータはＡＤＰ出力部２０６に供給される。また、ソフトミュート処理後の各チャネルの４ビットの拡張データはＥＤＰ出力部２０７に供給される。
【００１７】
ＡＤＰ出力部２０６では、音量調整部２０５から供給される各チャネルの２０ビットのオーディオデータをペイロードに配置したオーディオデータパケットが再構成され、このオーディオデータパケットはマルチプレクサ２０８に供給される。また、ＥＤＰ出力部２０７では、音量調整部２０５から供給される各チャネルの４ビットの拡張データをペイロードに配置した拡張データパケットが再構成され、この拡張データパケットはマルチプレクサ２０８に供給される。
【００１８】
マルチプレクサ２０８では、ＡＤＰ出力部２０６、ＥＤＰ出力部２０７からパケットが供給される場合、Ｓ／Ｐ変換器２０２から供給されるＳＤＩ信号のアンシラリデータ領域にそれらのパケットが挿入されて出力される。なお、マルチプレクサ２０８では、ＡＤＰ出力部２０６、ＥＤＰ出力部２０７からパケットが供給されない場合には、Ｓ／Ｐ変換器２０２から供給されるＳＤＩ信号がそのまま出力される。マルチプレクサ２０８から出力されたＳＤＩ信号は、Ｐ／Ｓ変換器２０９でパラレル信号からシリアル信号に変換され、信号切り換え装置２００の出力ＳＤＩ信号Ｓoutとされる。
【００１９】
図８は、図７の信号切り換え装置２００で、例えば、ＳＤＩ信号Ｓin-1とＳＤＩ信号Ｓin-2とを切り換えた場合に得られる出力ＳＤＩ信号Ｓoutを示している。図８（ａ）は、ＳＤＩ信号Ｓin-1からＳＤＩ信号Ｓin-2にスイッチングライン（第１０ライン）で切り換えるように制御する切り換え制御信号ＳＷＣを示している。図８（ｂ）は、水平同期信号ＨＤを示している。
【００２０】
図８（ｃ）は、ＳＤＩ信号Ｓin-1を示している。このＳＤＩ信号Ｓin-1は、アンシラリデータ領域にエンベデッドオーディオデータが組み込まれたＳＤＩ信号である。このアンシラリデータ領域には、オーディオデータパケット（ＡＤＰ）および拡張データパケット（ＥＤＰ）が挿入されている（図８（ｃ）の「有」の部分参照）。
【００２１】
なお、エンベデットオーディオの規格で、スイッチングラインの次ラインにオーディオデータパケット（ＡＤＰ）および拡張データパケット（ＥＤＰ）を挿入することが禁止されている。上述したようにＳＤＩ信号Ｓin-1はアンシラリデータ領域にエンベデッドオーディオデータが組み込まれたＳＤＩ信号であるが、スイッチングラインの次ラインのアンシラリデータ領域にパケット挿入はされていない（図８（ｃ）の「無」の部分参照）。
【００２２】
図８（ｄ）は、ＳＤＩ信号Ｓin-2を示している。このＳＤＩ信号Ｓin-2は、アンシラリデータ領域にエンベデッドオーディオデータが組み込まれていないＳＤＩ信号であり、このアンシラリデータ領域には、オーディオデータパケット（ＡＤＰ）および拡張データパケット（ＥＤＰ）が挿入されていない（図８（ｄ）の「無」の部分参照）。
【００２３】
図８（ｅ）は、スイッチングラインでＳＤＩ信号Ｓin-1からＳＤＩ信号Ｓin-2に切り換えられて得られた出力ＳＤＩ信号Ｓoutを示している。この出力ＳＤＩ信号Ｓoutにおいて、ＳＤＩ信号Ｓin-1の部分ではアンシラリデータ領域にエンベデッドオーディオデータが組み込まれているが、ＳＤＩ信号Ｓin-2の部分ではアンシラリデータ領域にエンベデッドオーディオデータが組み込まれていない。
【先行技術文献】
【特許文献】
【００２４】
【特許文献１】特開平１１−３０６６６９号公報
【発明の概要】
【発明が解決しようとする課題】
【００２５】
上述の図７に示す信号切り換え装置２００においては、クロスポイントスイッチ２０１による信号切り換え時に音量調整部２０５によりソフトミュート処理が行われることから、エンベデッドオーディオデータが組み込まれたＳＤＩ信号同士の切り換えでは、音声系ノイズは発生しない。勿論、エンベデッドオーディオデータを組み込まれていないＳＤＩ信号同士の切り換えでも音声系ノイズは発生しない。
【００２６】
しかし、エンベデッドオーディオデータが組み込まれたＳＤＩ信号と、エンベデッドオーディオデータが組み込まれていないＳＤＩ信号との間で切り換えると、信号切り換え装置２００の出力を受けるモニター機器で音声系ノイズが発生することがある。このような音声系ノイズの発生は、モニター機器の性能に依存している。
【００２７】
この発明の目的は、信号切り換え装置（スイッチャ）の出力を受けるモニター機器で音声系ノイズが発生することを防止することにある。
【課題を解決するための手段】
【００２８】
この発明の概念は、
アクティブビデオデータが挿入されるアクティブビデオデータ領域と、上記アクティブビデオデータ領域の開始同期符号が挿入される開始同期符号領域と、上記アクティブビデオデータ領域の終了同期符号が挿入される終了同期符号領域と、上記終了同期符号領域と上記開始同期符号領域との間に位置し、アンシラリデータが挿入されるアンシラリデータ領域を有するＳＤＩ信号の切り換えを行うスイッチ部と、
上記スイッチ部から出力されるＳＤＩ信号の上記アンシラリデータ領域に上記アンシラリデータとしてオーディオに関係するパケットがあるかないかを判別するパケット有無判別部と、
上記パケット有無判別部で上記オーディオに関係するパケットが無いと判別されるとき、上記スイッチ部から出力されるＳＤＩ信号の上記アンシラリデータ領域に、上記オーディオに関係するパケットを挿入するパケット挿入部
を備える信号切り換え装置にある。
【００２９】
この発明において、スイッチ部では、ＳＤＩ信号同士の切り換えが行われる。この場合、スイッチ部で切り換えられるＳＤＩ信号の組み合わせには種々がある。例えば、エンベデッドオーディオデータが組み込まれた、つまりアンシラリデータ領域にオーディオに関係するパケットが有るＳＤＩ信号同士の組み合わせがある。また、例えば、エンベデッドオーディオデータが組み込まれていないＳＤＩ信号同士の組み合わせがある。また、例えば、エンベデッドオーディオデータが組み込まれたＳＤＩ信号と、エンベデッドオーディオデータが組み込まれていないＳＤＩ信号の組み合わせがある。
【００３０】
この発明において、パケット有無判別部では、スイッチ部から出力されるＳＤＩ信号のアンシラリデータ領域にオーディオに関係するパケットが有るか無いかが判別される。そして、無いときには、パケット挿入部で、スイッチ部から出力されるＳＤＩ信号のアンシラリデータ領域に、オーディオに関係するパケットが挿入される。
【００３１】
例えば、パケット挿入部では、以下のように、オーディオに関係するパケットが挿入される。オーディオに関係するパケットとしてオーディオデータパケットが無いとき、無音に相当するオーディオデータパケットが挿入される。また、オーディオに関係するパケットとして拡張データパケットが無いとき、無音時の拡張データに相当する拡張データパケットが挿入される。また、オーディオに関係するパケットとしてオーディオコントロールパケットが無いとき、自身が定義したオーディオコントロールパケットが挿入される。
【００３２】
この発明において、スイッチ部から出力されるＳＤＩ信号のアンシラリデータ領域にオーディオに関係するパケットが無いときには、パケット挿入部で、スイッチ部から出力されるＳＤＩ信号のアンシラリデータ領域にオーディオに関係するパケットが挿入される。そのため、スイッチ部で切り換えられるＳＤＩ信号の種類によらず、信号切り換え装置の出力として最終的に得られるＳＤＩ信号は、全てのアンシラリデータ領域にオーディオに関係するパケットが挿入されたものとなる。したがって、エンベデッドオーディオデータが組み込まれたＳＤＩ信号と、エンベデッドオーディオデータが組み込まれていないＳＤＩ信号との間の切り換えであったとしても、信号切り換え装置の出力を受けるモニター機器で音声系ノイズが発生することはない。
【００３３】
また、この発明において、例えば、パケット挿入部は、パケット有無判別部でオーディオに関係するパケットが有ると判別されるとき、スイッチ部から出力されるＳＤＩ信号のアンシラリデータ領域からオーディオに関係するパケットを抜き出し、自身のタイミングで再構成した該オーディオに関係するパケットを、スイッチ部から出力されるＳＤＩ信号のアンシラリデータ領域に挿入する、ようにしてもよい。
【００３４】
この場合、アンシラリデータ領域にオーディオに関係するパケットが有るか無いかによらず、信号切り換え装置の出力として最終的に得られるＳＤＩ信号は、全てのアンシラリデータ領域に、同一の態様でオーディオに関係するパケットが挿入されたものとなる。これにより、信号切り換え装置の出力を受けるモニター機器で音声系ノイズが発生することをより確実に防ぐことができる。
【００３５】
また、この発明において、例えば、アンシラリデータ領域にオーディオに関係するパケット以外のアンシラリデータがあるとき、このアンシラリデータの挿入位置を、オーディオに関係するパケットの挿入位置より後の位置に移動するアンシラリデータ移動部をさらに備えるようにしてもよい。
【００３６】
エンベデッドオーディオのルールでは、オーディオに関係するパケットは、アンシラリデータ領域のうち、アクティブビデオデータ領域の終了同期符号（ＥＡＶ）の直後に挿入する必要がある。スイッチ部から出力されるＳＤＩ信号のアンシラリデータ領域に、タイムコード等が挿入されている場合、アンシラリデータ移動部でそのタイムコード等の挿入位置を移動できる。これにより、タイムコード等の他のアンシラリデータを失うことなく、オーディオに関係するパケットをアンシラリデータ領域に適切に挿入することが可能となる。
【００３７】
また、この発明において、例えば、アンシラリデータ移動部は、オーディオに関係するパケット以外の他のアンシラリデータをアンシラリデータ領域の最後に移動し、オーディオに関係するパケットと、移動された他のアンシラリデータとの間の領域に削除パケットを挿入する削除パケット挿入部をさらに備えるようにしてもよい。
【００３８】
スイッチ部から出力されるＳＤＩ信号のアンシラリデータ領域にタイムコード等が挿入されている場合、その挿入位置によっては、このアンシラリデータ領域に挿入されたオーディオに関係するパケットの直後に当該タイムコード等を挿入することが不可能となることがある。この場合、上述したようにタイムコード等がアンシラリデータ領域の最後に移動されると共に、オーディオに関係するパケットとタイムコード等の間の領域に削除パケットが挿入されることで、オーディオに関係するパケットとタイムコード等の間にギャップを発生させることなく、タイムコード等の移動を適切に行うことができる。
【００３９】
また、この発明において、例えば、第１のモードまたは第２のモードをユーザが選択するユーザ選択部と、このユーザ選択部により第１のモードが選択されたとき、パケット挿入部から出力されるＳＤＩ信号を出力し、ユーザ選択部で第２のモードが選択されたとき、スイッチ部から出力されるＳＤＩ信号を出力するセレクタをさらに備えるようにしてもよい。これにより、ユーザは、信号切り換え装置の出力ＳＤＩ信号として、信号切り換え装置の出力を受けるモニター機器で音声系ノイズが発生しないように加工処理されたＳＤＩ信号、あるいはスイッチ部から出力されたままのトランスペアレントなＳＤＩ信号のいずれかを、任意に選択できる。
【００４０】
また、この発明において、例えば、パケット挿入部は、パケット有無判別部でオーディオに関係するパケットとして信号切り換え装置が対応しているチャネルのうち少なくとも１つ以上のチャネルでオーディオデータが含まれていない第１のオーディオデータパケットが有ると判別されるとき、上述の少なくとも１つ以上のチャネルのオーディオデータとして無音に相当するオーディオデータを利用して、信号切り換え装置が対応しているチャネルの全てのチャネルのオーディオデータが含まれた第２のオーディオデータパケットを再構成し、スイッチ部から出力されるＳＤＩ信号の上記アンシラリデータ領域に、第１のオーディオデータパケットの代わりに、第２のオーディオデータパケットを挿入するようにしてもよい。
【００４１】
この場合、スイッチ部で切り換えられるＳＤＩ信号の種類によらず、信号切り換え装置の出力として最終的に得られるＳＤＩ信号のアンシラリデータ領域に挿入されたオーディオデータパケットは、信号切り換え装置が対応している全チャネルのオーディオデータが含まれたものとなる。したがって、含まれているオーディオデータのチャネル数が異なっているオーディオデータパケットがアンシラリデータに挿入されているＳＤＩ信号間の切り換えであったとしても、信号切り換え装置の出力を受けるモニター機器で音声系ノイズが発生することはない。
【発明の効果】
【００４２】
この発明によれば、スイッチ部で切り換えられるＳＤＩ信号の種類によらず、信号切り換え装置の出力として最終的に得られるＳＤＩ信号は全てのアンシラリデータ領域にオーディオに関係するパケットが挿入されたものとなる。したがって、エンベデッドオーディオデータが組み込まれたＳＤＩ信号と、エンベデッドオーディオデータが組み込まれていないＳＤＩ信号との間の切り換えであったとしても、信号切り換え装置の出力を受けるモニター機器で音声系ノイズが発生することはない。
【図面の簡単な説明】
【００４３】
【図１】この発明の実施の形態としての信号切り換え装置の構成例を示すブロック図である。
【図２】実施の形態としての信号切り換え装置においてＳＤＩ信号Ｓin-1とＳＤＩ信号Ｓin-2とを切り換えた場合に得られる出力ＳＤＩ信号Ｓoutを説明するための図である。
【図３】信号切り換え装置のマルチプレクサから出力されるＳＤＩ信号と、シリアル／パラレル変換器から出力されるＳＤＩ信号とを比較して示す図である。
【図４】ＳＤＩ信号のアンシラリデータ領域（ＨＡＮＣデータ領域）にあるタイムコードＴＣを確実に載せ直したい場合に、アンシラリデータ領域に挿入すべき削除パケットを説明するための図である。
【図５】削除パケットを挿入しない場合について、信号切り換え装置のマルチプレクサから出力されるＳＤＩ信号と、シリアル／パラレル変換器から出力されるＳＤＩ信号とを比較して示す図である。
【図６】ＳＤＩ信号のフレーム構造例を示す図である。
【図７】従来のＳＤＩ信号を取り扱う信号切り換え装置の構成例を示すブロック図である。
【図８】従来の信号切り換え装置においてＳＤＩ信号Ｓin-1とＳＤＩ信号Ｓin-2とを切り換えた場合に得られる出力ＳＤＩ信号Ｓoutを説明するための図である。
【発明を実施するための形態】
【００４４】
以下、発明を実施するための形態（以下、「実施の形態」とする）について説明する。なお、説明は以下の順序で行う。
１．実施の形態
［信号切り換え装置の構成例］
［信号切り換え装置の動作］
［切り換え時における出力ＳＤＩ信号の例］
［切り換え時における出力ＳＤＩ信号の例］
【００４５】
＜１．実施の形態＞
［信号切り換え装置の構成例］
図１は、実施の形態としての信号切り換え装置（スイッチャ）１００の構成例を示している。この信号切り換え装置１００は、クロスポイントスイッチ１０１と、Ｓ／Ｐ（シリアル／パラレル）変換器１０２と、オーディオデータパケット（ＡＤＰ）抜き出し部１０３と、拡張データパケット（ＥＤＰ）抜き出し部１０４を有している。また、この信号切り換え装置１００は、ＦＩＦＯ（First-In First-Out）メモリ部１０５と、無音データ発生部１０６と、セレクタ１０７と、タイミングジェネレータ１０９を有している。
【００４６】
また、信号切り換え装置１００は、音量調整部１０８と、オーディオデータパケット（ＡＤＰ）出力部１１０と、拡張データパケット（ＥＤＰ）出力部１１１と、マルチプレクサ１１２と、セレクタ１２２と、Ｐ／Ｓ（パラレル／シリアル）変換器１２３を有している。また、信号切り換え装置１００は、オーディオコントロールパケット（ＡＣＰ）抜き出し部１１３と、ＡＣＰ補正部１１４と、ＡＣＰ生成部１１５と、セレクタ１１６と、ＡＣＰ出力部１１７と、削除パケット（ＤＬＰ）出力部１１８を有している。
【００４７】
また、信号切り換え装置１００は、他のアンシラリデータ抜き出し部（ＯＴＲ抜き出し部）１１９と、ＦＩＦＯメモリ部１２０と、他のアンシラリデータ出力部（ＯＴＲ出力部）１２１を有している。
【００４８】
クロスポイントスイッチ１０１は、ｍ系統のＳＤＩ信号Ｓin-1〜Ｓin-mから、切り換え制御信号ＳＷＣに基づいて、一系統のＳＤＩ信号を選択的に取り出して出力する。ここで、ｍ系統のＳＤＩ信号Ｓin-1〜Ｓin-mには、エンベデットオーディオデータが組み込まれているもの、あるいは組み込まれていないものなど、まちまちである。また、エンベデットオーディオデータが組み込まれている場合であっても、拡張データパケットが有るものと無いもの、またオーディコントロールパケットがあるものと無いもの等がある。また、オーディオデータパケットおよび拡張データパケットのペイロードに含まれるチャネル数が異なる場合がある。
【００４９】
Ｓ／Ｐ変換器１０２は、クロスポイントスイッチ１０１から出力されるＳＤＩ信号をシリアル信号からｎビットのパラレル信号に変換する。ＡＤＰ抜き出し部１０３は、Ｓ／Ｐ変換器１０２でパラレル信号に変換されたＳＤＩ信号のアンシラリデータ領域にオーディオデータパケットが有るか否かを判別する。ＡＤＰ抜き出し部１０３は、オーディオデータパケットが有る場合には、ＳＤＩ信号からオーディオデータパケットを抜き出し、そのパケットのペイロードに含まれている各チャネルの２０ビットのオーディオデータを取り出して、ＦＩＦＯメモリ部１０５に出力する。
【００５０】
ＥＤＰ抜き出し部１０４は、Ｓ／Ｐ変換器１０２でパラレル信号に変換されたＳＤＩ信号のアンシラリデータ領域に拡張データパケットが有るか否かを判別する。そして、ＥＤＰ抜き出し部１０４は、拡張データパケットが有る場合には、ＳＤＩ信号から拡張データパケットを抜き出し、そのパケットのペイロードに含まれている各チャネルの４ビットの拡張データを取り出して、ＦＩＦＯメモリ部１０５に出力する。
【００５１】
ＦＩＦＯメモリ部１０５は、ＡＤＰ抜き出し部１０３およびＥＤＰ抜き出し部１０４から出力されるオーディオデータを、入力する。この場合、ＡＤＰ抜き出し部１０３からの２０ビットのオーディオデータおよびＥＤＰ抜き出し部１０４からの４ビットの拡張データが合成されて２４ビットのオーディオデータとして、ＦＩＦＯメモリ部１０５に入力されて蓄積される。なお、ＡＤＰ抜き出し部１０３からの２０ビットのオーディオデータはあるが、ＥＤＰ抜き出し部１０４からの４ビットの拡張データが無い場合、ＦＩＦＯメモリ部１０５では、２０ビットのオーディオデータに無音時の拡張データ（４ビット）が付加される。
【００５２】
このＦＩＦＯメモリ部１０５に入力された各チャネルのオーディオデータは、タイミングジェネレータ１０９からのタイミング信号により順次読み出されて、セレクタ１０７に入力される。無音データ発生部１０６は、無音に相当する２４ビットのオーディオデータを発生して、セレクタ１０７に入力する。セレクタ１０７は、ＦＩＦＯ部１０５から入力されるオーディオデータあるいは無音データ発生部１０６から入力されるオーディオデータを選択的に取り出して出力する。セレクタ１０７は、ＦＩＦＯメモリ部１０５から出力されるエンプティ信号ＥＭＰに基づいて、選択動作を行う。この場合、セレクタ１０７は、フルチャネル、例えば１６チャネルの２４ビットのオーディオデータを出力する。
【００５３】
例えば、ＦＩＦＯメモリ部１０５に１６チャネルのオーディオデータが蓄積されている場合は、セレクタ１０７が１６チャネルのオーディオデータを出力する全期間、エンプティ信号ＥＭＰは読み出しデータが有ることを示す。そのため、この場合には、セレクタ１０７から出力される１６チャネルのオーディオデータは、全てＦＩＦＯメモリ部１０５から読み出されたデータとなる。
【００５４】
また、例えば、ＦＩＦＯメモリ部１０５に、１６チャネルに満たないチャネル、例えばＰチャネルのオーディオデータが蓄積されている場合は、エンプティ信号ＥＭＰは、以下のようになる。すなわち、エンプティ信号ＥＭＰは、セレクタ１０７が１６チャネルのオーディオデータを出力する期間のうち、Ｐチャネルのオーディオデータを出力する期間では読み出しデータが有ることを示し、その後の期間では読み出しデータが無いことを示す。この場合には、セレクタ１０７から出力される最初のＰチャネルのオーディオデータに関してはＦＩＦＯメモリ部１０５から読み出されたデータとなり、その他のチャネルのオーディオデータに関しては無音データ発生部１０６で発生された無音データとなる。
【００５５】
また、例えば、ＦＩＦＯメモリ部１０５にオーディオデータが蓄積されていない場合は、セレクタ１０７が１６チャネルのオーディオデータを出力する全期間、エンプティ信号ＥＭＰは読み出しデータが無いことを示す。そのため、この場合には、セレクタ１０７から出力される１６チャネルのオーディオデータは、全て無音データ発生部１０６で発生された無音データとなる。
【００５６】
音量調整部１０８は、上述したクロスポイントスイッチ１０１による信号切り換え時に、音量調整信号ＶＣに基づき、セレクタ１０７から出力される２４ビットオーディオデータに対して、ソフトミュート処理を行う。この場合、切り換え前のオーディオデータに対しては音量レベルを徐々に低下させる処理が行われ、切り換え後のオーディオデータに対しては音量レベルを徐々に上昇させる処理が行われる。この音量調整部１０８におけるソフトミュート処理により、信号切り換え時における音声系ノイズの発生が抑えられる。
【００５７】
タイミングジェネレータ１０９は、信号切り換え装置１００の各部で使用するタイミング信号を発生する。例えば、このタイミングジェネレータ１０９は、上述したようにＦＩＦＯメモリ部１０５の読み出しタイミング、マルチプレクサ１１２の切り換えタイミング等を示すタイミング信号を発生する。
【００５８】
ＡＤＰ出力部１１０は、音量調整部１０８でソフトミュート処理された後の１６チャネルのオーディオデータ（２０ビット）を含むオーディオデータパケットを再構成して出力する。また、ＥＤＰ出力部１１１は、音量調整部１０８でソフトミュート処理された後の１６チャネルの拡張データ（４ビット）を含む拡張データパケットを再構成して出力する。
【００５９】
また、ＡＣＰ抜き出し部１１３は、Ｓ／Ｐ変換器１０２でパラレル信号に変換されたＳＤＩ信号のアンシラリデータ領域にオーディオコントロールパケットが有るか否かを判別する。そして、ＡＣＰ抜き出し部１１３は、オーディオコントロールパケットが有る場合には、ＳＤＩ信号からオーディオコントロールパケットを抜き出し、ＡＣＰ補正部１１４に出力する。なお、オーディオコントロールパケットには、ビデオに対するオーディオの時間遅れの情報、オーディオデータのサンプリング周波数の情報等が含まれている。
【００６０】
オーディオには上述したようにＦＩＦＯメモリ部１０５を通されることで遅延が発生する。ＡＣＰ補正部１１４は、例えば、このＦＩＦＯメモリ部１０５を通されることで生じるオーディオ遅延が反映されるように、オーディオコントロールパケットに含まれるビデオに対するオーディオの時間遅れの情報を補正する。
【００６１】
ＡＣＰ生成部１１５は、自身が定義したオリジナルのオーディオコントロールパケットを生成する。セレクタ１１６は、ＡＣＰ補正部１１４で補正されたオーディオコントロールパケットあるいはＡＣＰ生成部１１５で生成されたオリジナルのオーディオコントロールパケットを選択的に取り出して出力する。
【００６２】
この場合、セレクタ１１６には、ＡＣＰ抜き出し部１１３からオーディオコントロールパケットが有るか否かを示すＡＣＰ検出信号ＤＥＴが制御信号として供給される。セレクタ１１６は、ＡＣＰ検出信号ＤＥＴが、オーディオコントロールパケットが有ることを示すとき、ＡＣＰ補正部１１４で補正されたオーディオコントロールパケットを取り出す。また、セレクタ１１６は、ＡＣＰ検出信号ＤＥＴが、オーディオコントロールパケットが無いことを示すとき、ＡＣＰ生成部１１５で生成されたオリジナルのオーディオコントロールパケットを取り出す。
【００６３】
ＡＣＰ出力部１１７は、セレクタ１１６で取り出されたオーディオコントロールパケットを出力する。
【００６４】
ＤＬＰ出力部１１８は、アンシラリデータ領域に挿入されるオーディオに関係するパケット（ＡＤＰ，ＥＤＰ，ＡＣＰ）と、後述するように、アンシラリデータ領域の最後に挿入される他のアンシラリデータとの間の領域に挿入される削除パケットを出力する。
【００６５】
ＯＴＲ抜き出し部１１９は、Ｓ／Ｐ変換器１０２でパラレル信号に変換されたＳＤＩ信号のアンシラリデータ領域に、オーディオに関係するパケット以外の他のアンシラリデータ、例えばタイムコード等があるか否かを判別する。そして、ＯＴＲ抜き出し部１１９は、他のアンシラリデータが有る場合には、ＳＤＩ信号から当該他のアンシラリデータを抜き出し、ＦＩＦＯメモリ部１２０に出力する。
【００６６】
ＦＩＦＯメモリ部１２０は、ＯＴＲ抜き出し部１１９から出力される他のアンシラリデータを入力する。このＦＩＦＯメモリ部１２０に入力された他のアンシラリデータは、タイミングジェネレータ１０９からのタイミング信号により順次読み出されて、ＯＴＲ出力部１２１に出力される。ＯＴＲ出力部１２１は、ＦＩＦＯメモリ部１２０から出力されるアンシラリデータを出力する。
【００６７】
マルチプレクサ１１２は、ＳＤＩ信号のアンシラリデータ領域に、ＡＤＰ出力部１１０、ＥＤＰ出力部１１１、ＡＣＰ出力部１１７、ＤＬＰ出力部１１８およびＯＴＲ出力部１２１から出力される各種パケット、あるいは他のアンシラリデータを挿入する。この場合、Ｓ／Ｐ変換器１０２から出力されたＳＤＩ信号に元々含まれている各種パケット、あるいは他のアンシラリデータは除かれる。
【００６８】
セレクタ１２２は、モード信号ＭＯＤＥに基づいて、マルチプレクサ１１２から出力されたＳＤＩ信号またはシリアル／パラレル変換器１０２から出力されたＳＤＩ信号を、選択的に取り出して出力する。モード信号ＭＯＤＥは、ユーザが図示しないユーザ操作部を操作して選択された第１のモードあるいは第２のモードを表す。モード信号ＭＯＤＥが第１のモードを表すとき、セレクタ１２２は、マルチプレクサ１１２から出力されたＳＤＩ信号を取り出す。また、モード信号ＭＯＤＥが第２のモードを表すとき、セレクタ１２２は、シリアル／パラレル変換器１０２から出力されたＳＤＩ信号を取り出す。
【００６９】
Ｐ／Ｓ変換器１２３は、セレクタ１２２から出力されたＳＤＩ信号をパラレル信号からシリアル信号に変換して出力ＳＤＩ信号Ｓoutを出力する。
【００７０】
図１に示す信号切り換え装置１００において、クロスポイントスイッチ１０１は、スイッチ部を構成している。また、図１に示す信号切り換え装置１００において、ＡＤＰ抜き出し部１０３、ＥＤＰ抜き出し部１０４、ＡＣＰ抜き出し部１１３は、ＳＤＩ信号のアンシラリデータ領域にオーディオに関係するパケットが有るか無いかを判別するパケット有無判別部を構成している。また、図１に示す信号切り換え装置１００において、ＡＤＰ出力部１１０、ＥＤＰ出力部１１１、ＡＣＰ出力部１１７、マルチプレクサ１１２等は、パケット挿入部を構成している。
【００７１】
また、図１に示す信号切り換え装置１００において、ＯＴＲ抜き出し部１１９、ＦＩＦＯメモリ部１２０、ＯＴＲ出力部１２１は、アンシラリデータ移動部を構成している。また、図１に示す信号切り換え装置１００において、ＤＬＰ出力部１１８、マルチプレクサ１１２は、削除パケット挿入部を構成している。
【００７２】
［信号切り換え装置の動作］
図１に示す信号切り換え装置１００の動作を説明する。クロスポイントスイッチ１０１には、ｍ系統のＳＤＩ信号Ｓin-1〜Ｓin-mが入力されている。クロスポイントスイッチ１０１では、ユーザ操作に基づいた切り換え制御信号ＳＷＣに基づいて、ｍ系統のＳＤＩ信号Ｓin-1〜Ｓin-mから一系統のＳＤＩ信号が取り出される。このように、クロスポイントスイッチ１０１で取り出されたＳＤＩ信号は、Ｓ／Ｐ変換器１０２でシリアル信号からパラレル信号に変換される。このＳ／Ｐ変換器１０２で得られるＳＤＩ信号は、ＡＤＰ抜き出し部１０３、ＥＤＰ抜き出し部１０４、ＡＣＰ抜き出し部１１３、ＯＴＲ抜き出し部１１９、マルチプレクサ１１２およびセレクタ１２２に供給される。
【００７３】
ＡＤＰ抜き出し部１０３では、Ｓ／Ｐ変換器１０２から供給されたＳＤＩ信号にオーディオデータパケットが有るか否かが判別される。そして、ＡＤＰ抜き出し部１０３では、オーディオデータパケットが有る場合、ＳＤＩ信号からオーディオデータパケットが抜き出され、そのパケットのペイロードに含まれている各チャネルの２０ビットのオーディオデータが取り出される。このようにＡＤＰ抜き出し部１０３で取り出された各チャネルのオーディオデータはＦＩＦＯ部１０５に出力される。
【００７４】
また、ＥＤＰ抜き出し部１０４では、Ｓ／Ｐ変換器１０２から供給されたＳＤＩ信号に拡張データパケットが有るか否かが判別される。そして、ＥＤＰ抜き出し部１０４では、拡張データパケットが有る場合、ＳＤＩ信号から拡張データパケットが抜き出され、そのパケットのペイロードに含まれている各チャネルの４ビットの拡張データが取り出されて、ＦＩＦＯメモリ部１０５に出力される。
【００７５】
ＦＩＦＯメモリ部１０５には、ＡＤＰ抜き出し部１０３およびＥＤＰ抜き出し部１０４から出力されるオーディオデータが入力される。この場合、ＡＤＰ抜き出し部１０３からの２０ビットのオーディオデータおよびＥＤＰ抜き出し部１０４からの４ビットの拡張データが合成されて、２４ビットのオーディオデータとして蓄積される。なお、ＡＤＰ抜き出し部１０３からの２０ビットのオーディオデータはあるが、ＥＤＰ抜き出し部１０４からの４ビットの拡張データが無い場合、ＦＩＦＯメモリ部１０５では、２０ビットのオーディオデータに無音時の拡張データ（４ビット）が付加される。
【００７６】
ＦＩＦＯメモリ部１０５に入力された各チャネルのオーディオデータは、タイミングジェネレータ１０９からのタイミング信号により順次読み出されて、セレクタ１０７に入力される。また、無音データ発生部１０６で発生される無音に相当する２４ビットのオーディオデータも、セレクタ１０７に入力される。
【００７７】
セレクタ１０７では、ＦＩＦＯ部１０５からのオーディオデータあるいは無音データ発生部１０６からのオーディオデータが選択的に取り出されて出力される。セレクタ１０７は、ＦＩＦＯメモリ部１０５から出力されるエンプティ信号ＥＭＰに基づいて、選択動作を行う。この場合、セレクタ１０７からは、フルチャネル（信号切り換え装置１００が対応している全てのチャネル）、例えば１６チャネルのオーディオデータが出力される。
【００７８】
この場合、１６チャネルのオーディオデータのうち、ＦＩＦＯメモリ部１０５に蓄積されていないチャネルのオーディオデータとしては、無音データ発生部１０６で発生される無音に相当するオーディオデータが利用される。セレクタ１０７から出力される１６チャネルのオーディオデータは、音量調整部１０８に供給される。
【００７９】
音量調整部１０８では、上述したクロスポイントスイッチ１０１による信号切り換え時に、音量調整信号ＶＣに基づき、セレクタ１０７から出力されるオーディオデータに対して、ソフトミュート処理が行われる。そして、ソフトミュート処理後の各チャネルの２０ビットのオーディオデータはＡＤＰ出力部１１０に供給される。また、ソフトミュート処理後の各チャネルの４ビットの拡張データはＥＤＰ出力部１１１に供給される。
【００８０】
ＡＤＰ出力部１１０では、音量調整部１０８から供給される各チャネルの２０ビットのオーディオデータをペイロードに配置したオーディオデータパケットが再構成され、このオーディオデータパケットはマルチプレクサ１１２に供給される。また、ＥＤＰ出力部１１１では、音量調整部１０８から供給される各チャネルの４ビットのオーディオデータをペイロードに配置した拡張データパケットが再構成され、この拡張データパケットはマルチプレクサ１１２に供給される。
【００８１】
また、ＡＣＰ抜き出し部１１３では、Ｓ／Ｐ変換器１０２からのＳＤＩ信号のアンシラリデータ領域にオーディオコントロールパケットが有るか否かが判別される。そして、ＡＣＰ抜き出し部１１３では、オーディオコントロールパケットが有る場合には、ＳＤＩ信号からオーディオコントロールパケットが抜き出され、ＡＣＰ補正部１１４に供給される。
【００８２】
ＡＣＰ補正部１１４では、例えば、オーディオコントロールパケットに含まれるビデオに対するオーディオの時間遅れの情報が補正される。補正後のオーディオコントロールパケットはセレクタ１１６に入力される。このセレクタ１１６には、ＡＣＰ生成部１１５で発生された自身が定義したオリジナルのオーディオコントロールパケットも入力される。
【００８３】
セレクタ１１６では、ＡＣＰ補正部１１４で補正されたオーディオコントロールパケットあるいはＡＣＰ生成部１１５で生成されたオリジナルのオーディオコントロールパケットが、ＡＣＰ検出信号ＤＥＴに基づいて、選択的に取り出される。この場合、Ｓ／Ｐ変換器１０２からのＳＤＩ信号のアンシラリデータ領域にオーディオコントロールパケットが有るときは、ＡＣＰ補正部１１４で補正されたオーディオコントロールパケットが取り出される。一方、Ｓ／Ｐ変換器１０２からのＳＤＩ信号のアンシラリデータ領域にオーディオコントロールパケットが無いときは、ＡＣＰ生成部１１５で生成されたオリジナルのオーディオコントロールパケットが取り出される。
【００８４】
セレクタ１１６で取り出されたオーディオコントロールパケットは、ＡＣＰ出力部１１７を通じて、マルチプレクサ１１２に供給される。また、ＤＬＰ出力部１１８から出力される削除パケットは、マルチプレクサ１１２に供給される。
【００８５】
また、ＯＴＲ抜き出し部１１９では、Ｓ／Ｐ変換器１０２からのＳＤＩ信号のアンシラリデータ領域にオーディオに関係するパケット（ＡＤＰ，ＥＤＰ，ＡＣＰ）以外の他のアンシラリデータが有るか否かが判別される。そして、ＯＴＲ抜き出し部１１９では、他のアンシラリデータが有る場合、ＳＤＩ信号から当該他のアンシラリデータが抜き出され、ＦＩＦＯメモリ部１２０に入力される。
【００８６】
このＦＩＦＯメモリ部１２０に入力された他のアンシラリデータは、タイミングジェネレータ１０９からのタイミング信号により順次読み出されて、ＯＴＲ出力部１２１を通じて、マルチプレクサ１１２に供給される。
【００８７】
マルチプレクサ１１２では、ＳＤＩ信号のアンシラリデータ領域に、ＡＤＰ出力部１１０、ＥＤＰ出力部１１１、ＡＣＰ出力部１１７、ＤＬＰ出力部１１８およびＯＴＲ出力部１２１から出力される各種パケット、あるいは他のアンシラリデータが挿入される。このマルチプレクサ１１２における各種パケット、あるいは他のアンシラリデータの挿入タイミングは、タイミングジェネレータ１０９で発生されるタイミング信号に基づいて決定される。
【００８８】
この場合、アンシラリデータ領域の最初にオーディオに関係するパケット（ＡＤＰ，ＥＤＰ，ＡＣＰ）が挿入され、その最後に他のアンシラリデータ、例えばタイムコード等が挿入される。そして、オーディオに関係するパケットと他のアンシラリデータとの間の領域には、削除パケットが挿入される。
【００８９】
マルチプレクサ１１２から出力されたＳＤＩ信号は、セレクタ１２２に入力される。このセレクタ１２２では、モード信号ＭＯＤＥに基づいて、マルチプレクサ１１２から出力されたＳＤＩ信号またはシリアル／パラレル変換器１０２から出力されたＳＤＩ信号が取り出される。すなわち、ユーザが第１のモードを選択している場合には、マルチプレクサ１１２から出力されたＳＤＩ信号が取り出される。一方、ユーザが第２のモードを選択している場合には、シリアル／パラレル変換器１０２から出力されたＳＤＩ信号が取り出される。
【００９０】
セレクタ１２２で取り出されたＳＤＩ信号は、Ｐ／Ｓ変換器１２３でパラレル信号からシリアル信号に変換され、信号切り換え装置１００の出力ＳＤＩ信号Ｓoutとされる。
【００９１】
［切り換え時における出力ＳＤＩ信号の例］
図２は、図１の信号切り換え装置１００で、例えば、ＳＤＩ信号Ｓin-1とＳＤＩ信号Ｓin-2とを切り換えた場合に得られる出力ＳＤＩ信号Ｓoutを示している。図２（ａ）は、ＳＤＩ信号Ｓin-1からＳＤＩ信号Ｓin-2にスイッチングライン（第１０ライン）で切り換えるように制御する切り換え制御信号ＳＷＣを示している。図２（ｂ）は、水平同期信号ＨＤを示している。
【００９２】
図２（ｃ）は、ＳＤＩ信号Ｓin-1を示している。このＳＤＩ信号Ｓin-1は、アンシラリデータ領域にエンベデッドオーディオデータが組み込まれたＳＤＩ信号である。このＳＤＩ信号Ｓin-1のアンシラリデータ領域には、オーディオデータパケット（ＡＤＰ）および拡張データパケット（ＥＤＰ）が挿入されている（図２（ｃ）の「有」の部分参照）。
【００９３】
なお、エンベデットオーディオの規格で、スイッチングラインの次ラインにオーディオデータパケット（ＡＤＰ）および拡張データパケット（ＥＤＰ）を挿入することが禁止されている。上述したようにＳＤＩ信号Ｓin-1はアンシラリデータ領域にエンベデッドオーディオデータが組み込まれたＳＤＩ信号であるが、スイッチングラインの次ラインのアンシラリデータ領域にパケット挿入はされていない（図２（ｃ）の「無」の部分参照）。
【００９４】
図２（ｄ）は、ＳＤＩ信号Ｓin-2を示している。このＳＤＩ信号Ｓin-2は、アンシラリデータ領域にエンベデッドオーディオデータが組み込まれていないＳＤＩ信号である。このＳＤＩ信号Ｓin-2のアンシラリデータ領域には、オーディオデータパケット（ＡＤＰ）および拡張データパケット（ＥＤＰ）が挿入されていない（図２（ｄ）の「無」の部分参照）。
【００９５】
図２（ｅ）は、スイッチングラインでＳＤＩ信号Ｓin-1からＳＤＩ信号Ｓin-2に切り換えられて得られた出力ＳＤＩ信号Ｓoutを示している。この出力ＳＤＩ信号Ｓoutにおいて、ＳＤＩ信号Ｓin-1の部分ではアンシラリデータ領域にエンベデッドオーディオデータが組み込まれている。また、この出力ＳＤＩ信号Ｓoutにおいて、ＳＤＩ信号Ｓin-2の部分でも、アンシラリデータ領域にエンベデッドオーディオデータが組み込まれている。
【００９６】
［切り換え時における出力ＳＤＩ信号の例］
また、図３は、マルチプレクサ１１２から出力されるＳＤＩ信号と、シリアル／パラレル変換器１０２から出力されるＳＤＩ信号とを、比較して示している。なお、ＳＤＩ信号のうち、終了同期符号領域、アンシラリデータ領域および開始同期符号領域の部分だけを示している。図３（ａ）は、水平同期信号ＨＤを示している。
【００９７】
図３（ｂ）は、シリアル／パラレル変換器１０２から出力されるＳＤＩ信号の一例を示している。このＳＤＩ信号には、アンシラリデータ領域にエンベデッドオーディオデータが組み込まれていない。図３（ｃ）は、図３（ｂ）に示すＳＤＩ信号に対して、マルチプレクサ１１２から出力されるＳＤＩ信号を示している。このＳＤＩ信号には、エンベデッドオーディオデータ（ＡＤＰ，ＥＤＰ）が組み込まれており、またエンベデッドオーディオデータに続いて削除パケットが挿入されている。
【００９８】
図３（ｄ）は、シリアル／パラレル変換器１０２から出力されるＳＤＩ信号の一例を示している。このＳＤＩ信号には、アンシラリデータ領域に、エンベデッドオーディオデータは組み込まれていないが、タイムコードＴＣが有る。図３（ｅ）は、図３（ｄ）に示すＳＤＩ信号に対して、マルチプレクサ１１２から出力されるＳＤＩ信号を示している。
【００９９】
このＳＤＩ信号には、エンベデッドオーディオデータ（ＡＤＰ，ＥＤＰ）が組み込まれている。また、このＳＤＩ信号では、タイムコードＴＣがアンシラリデータ領域の最後に移動されている。そして、エンベデッドオーディオデータとタイムコードとの間の領域に、削除パケットが挿入されている。
【０１００】
このようにＳＤＩ信号のアンシラリデータ領域（ＨＡＮＣデータ領域）にあるタイムコードＴＣを、確実に載せ直したい場合、図４に示すように、削除パケットが挿入される。すなわち、２３ワードのタイムコードＴＣ分の領域を残した状態で、Ｎワードのエンベデッドオーディオデータ（ＡＤＰ，ＥＤＰ）に続いてＸワードの削除パケットが挿入される。この場合、Ｘ＝２６８−Ｎ−２３となる。
【０１０１】
図３（ｆ）は、シリアル／パラレル変換器１０２から出力されるＳＤＩ信号の一例を示している。このＳＤＩ信号には、アンシラリデータ領域に、エンベデッドオーディオデータ（ＡＤＰ，ＥＤＰ）が組み込まれていると共に、タイムコードＴＣが有る。図３（ｇ）は、図３（ｆ）に示すＳＤＩ信号に対して、マルチプレクサ１１２から出力されるＳＤＩ信号を示している。このＳＤＩ信号には、エンベデッドオーディオデータ（ＡＤＰ，ＥＤＰ）が自身のタイミングで組み込まれている。また、このＳＤＩ信号では、タイムコードＴＣがアンシラリデータ領域の最後に移動されている。そして、エンベデッドオーディオデータとタイムコードとの間の領域に、削除パケットが挿入されている。
【０１０２】
以上に説明したように、図１に示す信号切り換え装置１００においては、シリアル／パラレル変換器１０２から出力されるＳＤＩ信号のアンシラリデータ領域にオーディオに関係するパケットが無いときには、当該パケットが挿入される。そのため、クロスポイントスイッチ１０１で切り換えられるＳＤＩ信号の種類によらず、マルチプレクサ１１２から出力されるＳＤＩ信号は、全てのアンシラリデータ領域にオーディオに関係するパケットが挿入されたものとなる。
【０１０３】
したがって、マルチプレクサ１１２から出力されるＳＤＩ信号を信号切り換え装置１００の出力ＳＤＩ信号Ｓoutとする場合、信号切り換え装置１００の出力を受けるモニター機器で音声系ノイズが発生することはない。すなわち、エンベデッドオーディオデータが組み込まれたＳＤＩ信号と、エンベデッドオーディオデータが組み込まれていないＳＤＩ信号との間の切り換えであったとしても、音声系ノイズが発生することはない。
【０１０４】
また、図１に示す信号切り換え装置１００においては、シリアル／パラレル変換器１０２から出力されるＳＤＩ信号のアンシラリデータ領域にオーディオに関係するパケット（ＡＤＰ，ＥＤＰ）が有るとき、そのパケットが抜き出される。そして、そのパケットに含まれるオーディオデータがＦＩＦＯメモリ部１０５に蓄積される。このＦＩＦＯメモリ部１０５に蓄積されたオーディオデータは、自身のタイミング、つまりタイミングジェネレータ１０９で発生されたタイミング信号により読み出されて、パケットが再構成される。そして、このように再構成されたパケットが、クロスポイントスイッチ１０１から出力され、シリアル／パラレル変換器１０２から出力されるＳＤＩ信号のアンシラリデータ領域（ＨＡＮＣ領域）に挿入される。
【０１０５】
シリアル／パラレル変換器１０２からのＳＤＩ信号のアンシラリデータ領域（ＨＡＮＣ領域）にオーディオに関係するパケットが有るか無いかに拘わらず、マルチプレクサ１１２の出力ＳＤＩ信号は、全てのアンシラリデータ領域に、同一の態様でオーディオに関係するパケットが挿入されたものとなる。したがって、マルチプレクサ１１２から出力されるＳＤＩ信号を信号切り換え装置１００の出力ＳＤＩ信号Ｓoutとする場合、信号切り換え装置２００の出力を受けるモニター機器で音声系ノイズが発生することをより確実に防ぐことができる。
【０１０６】
また、図１に示す信号切り換え装置１００において、シリアル／パラレル変換器１０２から出力されるＳＤＩ信号のアンシラリデータ領域に、オーディオに関係するパケットの他に、タイムコード等の他のアンシラリデータが有るか否か判別される。他のアンシラリデータが有るとき、ＯＴＲ抜き出し部１１９、ＦＩＦＯメモリ部１２０、ＯＴＲ出力部１２１およびマルチプレクサ１１２により、当該他のアンシラリデータの挿入位置が、オーディオに関係するパケットの挿入位置より後の位置に移動される。これにより、他のアンシラリデータを失うことなく、オーディオに関係するパケットをアンシラリデータ領域に適切に挿入できる。
【０１０７】
また、図１に示す信号切り換え装置１００において、上述したように他のアンシラリデータの挿入位置を移動する際、この挿入位置はアンシラリデータ領域の最後とされる。そして、ＤＬＰ出力部１１８、マルチプレクサ１１２により、オーディオに関係するパケット（エンベデッドオーディオデータ）と他のアンシラリデータとの間の領域に、削除パケットが挿入される。これにより、オーディオに関係するパケットとタイムコード等の間にギャップを発生させることなく、タイムコード等の移動を適切に行うことができる。
【０１０８】
ここで、他のアンシラリデータの挿入位置をアンシラリデータ領域の最後とせずに、またオーディオに関係するパケットと他のアンシラリデータとの間の領域に削除パケットを挿入しない場合について説明する。この場合、オーディオに関係するパケットとタイムコード等の間にギャップが発生することがある。
【０１０９】
図５は、マルチプレクサ１１２から出力されるＳＤＩ信号と、シリアル／パラレル変換器１０２から出力されるＳＤＩ信号とを、比較して示している。なお、図５には、ＳＤＩ信号のうち、終了同期符号領域、アンシラリデータ領域および開始同期符号領域の部分だけを示している。図５（ａ）は、水平同期信号ＨＤを示している。
【０１１０】
図５（ｂ）は、シリアル／パラレル変換器１０２から出力されるＳＤＩ信号の一例を示している。このＳＤＩ信号には、アンシラリデータ領域にエンベデッドオーディオデータが組み込まれていない。図５（ｃ）は、図５（ｂ）に示すＳＤＩ信号に対して、マルチプレクサ１１２から出力されるＳＤＩ信号を示している。このＳＤＩ信号には、エンベデッドオーディオデータ（ＡＤＰ，ＥＤＰ）が組み込まれている。
【０１１１】
図５（ｄ）は、シリアル／パラレル変換器１０２から出力されるＳＤＩ信号の他の一例を示している。このＳＤＩ信号には、アンシラリデータ領域に、エンベデッドオーディオデータは組み込まれていないが、タイムコードＴＣが有る。図５（ｅ）は、図５（ｄ）に示すＳＤＩ信号に対して、マルチプレクサ１１２から出力されるＳＤＩ信号を示している。
【０１１２】
このＳＤＩ信号には、エンベデッドオーディオデータ（ＡＤＰ，ＥＤＰ）が組み込まれている。また、このＳＤＩ信号では、タイムコードＴＣがエンベデッドオーディオデータ（ＡＤＰ，ＥＤＰ）の後に移動されている。この場合には、エンベデッドオーディオデータ（ＡＤＰ，ＥＤＰ）とタイムコードＴＣとの間にはギャップは発生していない。
【０１１３】
図５（ｆ）は、シリアル／パラレル変換器１０２から出力されるＳＤＩ信号のさらに他の一例を示している。このＳＤＩ信号には、アンシラリデータ領域に、エンベデッドオーディオデータ（ＡＤＰ，ＥＤＰ）が組み込まれていると共に、タイムコードＴＣが有る。図５（ｇ）は、図５（ｆ）に示すＳＤＩ信号に対して、マルチプレクサ１１２から出力されるＳＤＩ信号を示している。このＳＤＩ信号には、エンベデッドオーディオデータ（ＡＤＰ，ＥＤＰ）が自身のタイミングで組み込まれている。
【０１１４】
このＳＤＩ信号では、タイムコードＴＣの当初の挿入位置との関係から、当該タイムコードＴＣをエンベデッドオーディオデータ（ＡＤＰ，ＥＤＰ）に続く位置に移動できない。そのため、エンベデッドオーディオデータ（ＡＤＰ，ＥＤＰ）とタイムコードＴＣとの間にギャップが発生する。このようにギャップが発生した場合、ＳＤＩ信号を受け取った機器では、タイムコードＴＣがないと判断するおそれがある。
【０１１５】
また、図１に示す信号切り換え装置１００において、ユーザは、図示しないユーザ操作部により、第１のモードのモードまたは第２のモードを選択できる。第１のモードでは、セレクタ１２２において、マルチプレクサ１１２から出力されたＳＤＩ信号が取り出される。一方、第２のモードでは、セレクタ１２２において、シリアル／パラレル変換器１０２から出力されたＳＤＩ信号が取り出される。従って、ユーザは、第１のモードを選択することで、信号切り換え装置１００の出力ＳＤＩ信号Soutとして、信号切り換え装置の出力を受けるモニター機器で音声系ノイズが発生しないように加工処理されたマルチプレクサ２０８の出力ＳＤＩ信号を選択できる。また、ユーザは、第２のモードを選択することで、信号切り換え装置１００の出力ＳＤＩ信号Soutとして、クロスポイントスイッチ１０１から出力されたままのトランスペアレントなＳＤＩ信号を選択できる。
【産業上の利用可能性】
【０１１６】
この発明は、エンベデッドオーディオＳＤＩ信号を取り扱う信号切り換え装置に適用して好適である。
【符号の説明】
【０１１７】
１００・・・信号切り換え装置
１０１・・・クロスポイントスイッチ
１０２・・・シリアル／パラレル（Ｓ／Ｐ）変換器
１０３・・・オーディオデータパケット（ＡＤＰ）抜き出し部
１０４・・・拡張データパケット（ＥＤＰ）抜き出し部
１０５・・・ＦＩＦＯメモリ部
１０６・・・無音データ発生部
１０７・・・セレクタ
１０８・・・音量調整部
１０９・・・タイミングジェネレータ
１１０・・・オーディオデータパケット（ＡＤＰ）出力部
１１１・・・拡張データパケット（ＥＤＰ）出力部
１１２・・・マルチプレクサ
１１３・・・オーディオコントロールパケット（ＡＣＴ）抜き出し部
１１４・・・オーディオコントロールパケット（ＡＣＴ）補正部
１１５・・・オーディオコントロールパケット（ＡＣＴ）生成部
１１６・・・セレクタ
１１７・・・オーディオコントロールパケット（ＡＣＴ）出力部
１１８・・・削除パケット（ＤＬＰ）出力部
１１９・・・他アンシラリデータ抜き出し部（ＯＴＲ抜き出し部）
１２０・・・ＦＩＦＯメモリ部
１２１・・・他アンシラリデータ出力部（ＯＴＲ出力部）
１２２・・・セレクタ
１２３・・・パラレル／シリアル（Ｐ／Ｓ）変換器
【図１】
2010210807.tif 000003
【図２】
2010210807.tif 000004
【図３】
2010210807.tif 000005
【図４】
2010210807.tif 000006
【図５】
2010210807.tif 000007
【図６】
2010210807.tif 000008
【図７】
2010210807.tif 000009
【図８】
2010210807.tif 000010